(57)【要約】【課題】オプション装置が取り付けられているか否かに応じてユーザの操作に支障が生じるのを防止することができる電子天秤を提供する。【解決手段】オプション用光源が、操作キー領域８１１に対向しており、電子天秤にオプション装置が接続されたときに発光可能である。オプション用光源に対向する操作キー領域８１１は、その全体が操作シート８３における操作キー領域８１１以外の地色領域８８と同色で塗装されており、地色領域８８と透光率が等しい第１領域８１２と、第１領域８１２よりも透光率が高い第２領域８１３とを有することにより、オプション用光源が発光した場合に第２領域８１３が視認可能となる。【選択図】  図５
0003207398.tif 000002
【実用新案登録請求の範囲】
【請求項１】
秤量室が形成された本体と、当該本体に設けられた操作部とを備える電子天秤であって、
前記操作部は、複数の操作キー領域を有する操作シートと、前記複数の操作キー領域の少なくとも１つに対向し、前記電子天秤にオプション装置が接続されたときに発光可能なオプション用光源とを備え、
前記オプション用光源に対向する前記操作キー領域は、その全体が前記操作シートにおける前記複数の操作キー領域以外の地色領域と同色で塗装されており、前記地色領域と透光率が等しい第１領域と、前記第１領域よりも透光率が高い第２領域とを有することにより、前記オプション用光源が発光した場合に前記第２領域が視認可能となることを特徴とする電子天秤。
【請求項２】
前記第１領域及び前記第２領域には、互いに異なる濃度で同色の塗装が施されていることを特徴とする請求項１に記載の電子天秤。
【請求項３】
前記オプション用光源と前記操作シートとの間には、前記オプション用光源からの光を拡散させる拡散部材が設けられていることを特徴とする請求項１又は２に記載の電子天秤。
【請求項４】
前記オプション用光源が発光しているときに、当該オプション用光源に対向する前記操作キー領域の操作に基づいて、前記オプション装置の動作を制御する制御部をさらに備えることを特徴とする請求項１〜３のいずれかに記載の電子天秤。
【考案の詳細な説明】
【技術分野】
【０００１】
本考案は、秤量室が形成された本体と、当該本体に設けられた操作部とを備える電子天秤に関するものである。
【背景技術】
【０００２】
電子天秤には、除電器などのオプション装置が取り付けられる場合がある（例えば、下記特許文献１参照）。除電器は、例えば風防ケースの内部に取り付けられ、生成したイオンを測定対象物に吹き付けることにより、測定対象物の静電気を中和して低減させることができる。
【０００３】
特許文献１に開示された構成では、オプション装置の一例である除電器が電子天秤に取り付けられた場合に、除電器のスイッチのオン／オフを電子天秤本体の制御部により制御できるようになっている。具体的には、操作パネル上の入力部をユーザが操作することにより、感度校正を行うことが入力された場合に、感度校正が行われる前に除電器が所定時間だけ作動されるようになっている。
【先行技術文献】
【特許文献】
【０００４】
【特許文献１】特開２０１４−１７８１３３号公報
【考案の概要】
【考案が解決しようとする課題】
【０００５】
上記除電器などのオプション装置が電子天秤に取り付けられた場合には、当該オプション装置を動作させたり、当該オプション装置に関する設定を行ったりするときに、ユーザが操作するための操作キーが必要となる場合がある。このような操作キーは、オプション装置を取り付けないユーザにとっては不必要である。また、オプション装置を取り付けていないにもかかわらず操作キーが存在している場合には、仮に当該操作キーをユーザが操作したとしても、その操作に対する応答がないため、ユーザが混乱する原因ともなる。
【０００６】
本考案は、上記実情に鑑みてなされたものであり、オプション装置が取り付けられているか否かに応じてユーザの操作に支障が生じるのを防止することができる電子天秤を提供することを目的とする。
【課題を解決するための手段】
【０００７】
（１）本考案に係る電子天秤は、秤量室が形成された本体と、当該本体に設けられた操作部とを備える電子天秤であって、前記操作部は、操作シートと、オプション用光源とを備える。前記操作シートは、複数の操作キー領域を有する。前記オプション用光源は、前記複数の操作キー領域の少なくとも１つに対向し、前記電子天秤にオプション装置が接続されたときに発光可能である。前記オプション用光源に対向する前記操作キー領域は、その全体が前記操作シートにおける前記複数の操作キー領域以外の地色領域と同色で塗装されており、前記地色領域と透光率が等しい第１領域と、前記第１領域よりも透光率が高い第２領域とを有することにより、前記オプション用光源が発光した場合に前記第２領域が視認可能となる。
【０００８】
このような構成によれば、操作シートにおける操作キー領域の全体が、操作キー領域以外の地色領域と同色で塗装されているため、オプション用光源が発光していないときには、ユーザが操作キー領域を視認することができない。したがって、オプション装置が接続されていないときには、オプション用光源を発光させないことにより、操作キー領域が存在していないとユーザに認識させることができる。
【０００９】
一方、オプション装置が接続されているときには、オプション用光源を発光させることにより、操作キー領域の第２領域をユーザに視認させることができる。これにより、操作キー領域が存在していることをユーザに認識させることができる。
【００１０】
このように、オプション装置が接続されていないときには、操作キー領域が存在していないとユーザに認識させ、オプション装置が接続されているときには、操作キー領域が存在していることをユーザに認識させることができるため、オプション装置が取り付けられているか否かに応じてユーザの操作に支障が生じるのを防止することができる。
【００１１】
（２）前記第１領域及び前記第２領域には、互いに異なる濃度で同色の塗装が施されていてもよい。
【００１２】
このような構成によれば、操作キー領域の第１領域及び第２領域に互いに異なる濃度で同色の塗装が施されることにより、第１領域と第２領域とで透光率を異ならせることができる。第１領域及び第２領域の塗装の濃度が一定の濃度以上であれば、オプション用光源が発光していないときに、ユーザは第１領域と第２領域を区別して認識することができない。一方、オプション用光源を発光させた場合には、第１領域及び第２領域の塗装の濃度の差が顕著に表れるため、ユーザは第１領域と第２領域を区別して認識することができる。
【００１３】
（３）前記オプション用光源と前記操作シートとの間には、前記オプション用光源からの光を拡散させる拡散部材が設けられていてもよい。
【００１４】
このような構成によれば、オプション用光源を発光させた場合に、オプション用光源からの光を拡散部材により拡散させ、操作キー領域の全体に照射することができる。これにより、オプション用光源を発光させているときに、操作キー領域の第２領域のみを良好にユーザに視認させることができる。
【００１５】
（４）前記電子天秤は、前記オプション用光源が発光しているときに、当該オプション用光源に対向する前記操作キー領域の操作に基づいて、前記オプション装置の動作を制御する制御部をさらに備えていてもよい。
【００１６】
このような構成によれば、オプション装置が電子天秤に接続されているときには、オプション用光源を発光させることにより視認可能となった操作キー領域をユーザが操作することにより、オプション装置を動作させることができる。一方、オプション装置が電子天秤に接続されていないときには、仮にユーザが操作キー領域を操作したとしてもオプション装置は動作しないため、誤動作を防止することができる。
【考案の効果】
【００１７】
本考案によれば、オプション装置が接続されていないときには、操作キー領域が存在していないとユーザに認識させ、オプション装置が接続されているときには、操作キー領域が存在していることをユーザに認識させることができるため、オプション装置が取り付けられているか否かに応じてユーザの操作に支障が生じるのを防止することができる。
【図面の簡単な説明】
【００１８】
【図１】本考案の一実施形態に係る電子天秤の外観を示す平面図である。
【図２】図１の電子天秤の側面図である。
【図３Ａ】操作部の平面図であり、電子天秤に除電器が接続されているときの操作部の外観を示している。
【図３Ｂ】操作部の平面図であり、電子天秤に除電器が接続されていないときの操作部の外観を示している。
【図４】操作部の概略断面図であり、操作キー領域の周辺の構成のみを示している。
【図５】操作シートにおける操作キー領域近傍の部分の底面図である。
【図６】電子天秤の電気的構成を示すブロック図である。
【考案を実施するための形態】
【００１９】
１．電子天秤の全体構成
図１は、本考案の一実施形態に係る電子天秤１の外観を示す平面図である。図２は、図１の電子天秤１の側面図である。以下の説明では、図１における下側を手前側、上側を背面側とし、図２における左側を手前側、右側を背面側として説明する。
【００２０】
電子天秤１には、例えば秤量皿２を下方から支持する本体ケース３と、本体ケース３の背面側から上方に延びる背面ケース４と、秤量皿２の周囲を覆う風防ケース５とを備えている。これらの本体ケース３、背面ケース４及び風防ケース５は、内部に秤量室６が形成された本体７を構成している。本体７には、ユーザが操作を行うための操作部８が設けられている。操作部８は、例えば本体ケース３の手前側の上面に配置されている。
【００２１】
測定対象物の秤量を行う際には、風防ケース５を開くことにより秤量室６が開放され、秤量室６内に設けられた秤量皿２上に測定対象物が載置される。その後、風防ケース５が閉じられ、ユーザが操作部８を操作することにより秤量の開始が指示された場合に、秤量皿２上の測定対象物の秤量が開始される。
【００２２】
操作部８には、複数の操作キー領域８１と、表示領域８２とが設けられている。ユーザは、操作キー領域８１を操作することにより、上記のような秤量を開始させるための指示操作の他、各種指示操作を行うことができる。秤量された測定対象物の質量は、表示領域８２に表示される。
【００２３】
本実施形態では、オプション装置の一例として、除電器９を電子天秤１に接続することができるようになっている。この除電器９は、秤量皿２上に載置されている測定対象物の静電気を除去するためのものである。すなわち、除電器９において発生させたイオンを秤量皿２上の測定対象物に吹き付けることにより、測定対象物の静電気を非接触で中和して除去することができる。
【００２４】
この除電器９は、電子天秤１に接続して使用することもできるが、電子天秤１から取り外して単体で使用することもできる。除電器９を単体で使用する場合には、除電器９に設けられた電源スイッチ９１を操作してオン状態とすることにより、除電器９からイオンを発生させることができる。この状態で、ユーザが除電器９を秤量皿２の近傍に向けることにより、秤量皿２上の測定対象物を除電することができる。
【００２５】
一方、除電器９を電子天秤１に接続して使用する場合には、除電器９が本体７の背面ケース４内に取り付けられる。この場合、除電器９の動作は、操作部８の操作によりオン状態又はオフ状態に切り替えることができるようになる。
【００２６】
２．操作部の具体的構成
図３Ａ及び図３Ｂは、操作部８の平面図である。図３Ａは、電子天秤１に除電器９が接続されているときの操作部８の外観を示しており、図３Ｂは、電子天秤１に除電器９が接続されていないときの操作部８の外観を示している。
【００２７】
操作部８に設けられた各操作キー領域８１の中には、図３Ａに示すように、オプション装置に対応付けられたオプション用の操作キー領域８１１が含まれる。本実施形態では、オプション装置としての除電器９の動作が、操作キー領域８１１の操作に応じて切り替えられる。
【００２８】
電子天秤１に除電器９が接続されているときには、図３Ａに示すように、操作キー領域８１１は視認可能となっており、この操作キー領域８１１の操作によって除電器９をオン状態又はオフ状態に切り替えることができる。一方、電子天秤１に除電器９が接続されていないときには、図３Ｂに示すように、操作キー領域８１１が視認できない状態となる。この状態では、図３Ａの操作キー領域８１１に対応する部分が操作されたとしても、除電器９の動作は切り替わらないようになっている。
【００２９】
図４は、操作部８の概略断面図であり、操作キー領域８１１の周辺の構成のみを示している。操作部８には、操作シート８３、基板８４、スイッチ８５、光源８６及び拡散部材８７などが備えられている。
【００３０】
操作シート８３は、例えばＰＥＴ（ポリエチレンテレフタレート）などの透明なプラスチックシートに、塗装が施されることにより形成されている。操作シート８３には、裏面側（下面側）に塗装が施されることにより、塗装面８３１が形成されている。操作キー領域８１１を含む各操作キー領域８１を操作する際には、塗装面８３１と反対側の表面（上面）に触れることとなるため、ユーザが塗装面８３１に触れることはない。
【００３１】
操作キー領域８１１は、その全体が、操作シート８３における複数の操作キー領域８１以外の領域（地色領域８８）と同色で塗装されている。すなわち、操作シート８３の裏面（下面）は、複数の操作キー領域８１及び地色領域８８を含めた全面が、同色で塗装されている。操作シート８３に対する塗装は、例えば黒色又は灰色といった光を吸収しやすい色を用いて、スクリーン印刷などの印刷により行われる。
【００３２】
基板８４は、操作シート８３の裏面に対して下方から対向するように配置されている。基板８４の表面（上面）には、各操作キー領域８１に対向する位置に、それぞれスイッチ８５が実装されている。各操作キー領域８１が操作された場合には、各操作キー領域８１に対向するスイッチ８５が押し下げられることにより、基板８４上に形成された回路の接点（図示せず）のオン／オフが切り替えられるようになっている。
【００３３】
操作キー領域８１１とスイッチ８５との間には、光を拡散させるための拡散部材８７が設けられている。この拡散部材８７の上面が、操作シート８３の裏面（塗装面８３１）における操作キー領域８１１に対向し、下端がスイッチ８５に対向している。これにより、操作キー領域８１１が操作された場合には、拡散部材８７を介してスイッチ８５が押し下げられるようになっている。
【００３４】
基板８４には、操作キー領域８１１に対向する位置に、光源８６が実装されている。光源８６は、例えばＬＥＤ（Light Emitting Diode）により構成されており、拡散部材８７の下方から、拡散部材８７に向かって上方に光を照射する。光源８６は、オプション装置としての除電器９が電子天秤１に接続されたときにのみ発光可能なオプション用光源である。光源８６から照射される光は、当該光源８６と操作シート８３（操作キー領域８１１）との間に設けられている拡散部材８７により拡散される。
【００３５】
図５は、操作シート８３における操作キー領域８１１近傍の部分の底面図である。操作シート８３の裏面側には、上述の通り、塗装が施されることにより塗装面８３１が形成されているが、操作キー領域８１１においては、部分的に異なる濃度で塗装が施されている。これにより、操作キー領域８１１には、互いに異なる濃度で同色の塗装が施された第１領域８１２及び第２領域８１３が含まれている。
【００３６】
操作キー領域８１１の第１領域８１２は、地色領域８８と同じ濃度で同色の塗装が施されることにより、地色領域８８と等しい透光率を有している。第１領域８１２は、操作シート８３を光が透過しない程度の透光率で塗装されているため、光源８６が発光した場合であっても、第１領域８１２を表面側（上面側）から視認することはできない。
【００３７】
一方、操作キー領域８１１の第２領域８１３は、地色領域８８よりも薄い濃度で同色の塗装が施されることにより、第１領域８１２よりも高い透光率を有している。第２領域８１３は、操作シート８３を光が透過する程度の透光率で塗装されているため、光源８６が発光した場合には、第２領域８１３が表面側（上面側）から視認可能となる。
【００３８】
３．電子天秤の電気的構成
図６は、電子天秤１の電気的構成を示すブロック図である。この電子天秤１は、上述の秤量皿２、操作部８及び除電器９などの他、荷重検出部１０、コネクタ１１及び制御部１２などを備えている。
【００３９】
荷重検出部１０は、秤量皿２に載置されている測定対象物Ｗの荷重を検出する。秤量皿２が測定対象物Ｗから受ける荷重を荷重検出部１０で検出することにより、その荷重に基づいて測定対象物Ｗの質量を測定することができる。この荷重検出部１０における荷重の検出方式としては、電磁式又はロードセル式などを例示することができる。
【００４０】
荷重検出部１０が電磁式である場合には、例えばマグネット及びコイルなどが荷重検出部１０に備えられている。この場合、秤量皿２に載置される測定対象物Ｗの荷重と釣り合うように、コイルに電流を流して電磁力を作用させることにより、その際の電流量に基づいて測定対象物Ｗの荷重を検出することができる。
【００４１】
荷重検出部１０がロードセル式である場合には、例えばアルミなどにより形成された起歪体が荷重検出部１０に備えられている。この場合、秤量皿２に測定対象物Ｗが載置されることにより起歪体が撓み、その撓み量が歪みゲージなどを用いて電気信号として検出されることにより、当該電気信号に基づいて測定対象物Ｗの荷重を検出することができる。ただし、荷重検出部１０は、電磁式又はロードセル式に限らず、音叉式などの他の検出方式で荷重を検出するような構成であってもよい。
【００４２】
コネクタ１１は、除電器９を電子天秤１に接続するためのものである。コネクタ１１に除電器９が接続されることにより、当該コネクタ１１を介して、除電器９と制御部１２とが電気的に接続される。
【００４３】
制御部１２は、例えばＣＰＵ（Central Processing Unit）を含む構成であり、電子天秤１の各部の動作を制御する。本実施形態では、ＣＰＵがプログラムを実行することにより、制御部１２が、表示制御部１２１、接続検出部１２２及び駆動制御部１２３などとして機能するようになっている。
【００４４】
表示制御部１２１は、操作部８に備えられた液晶表示器８９の表示画面に対する表示や、光源８６の動作などを制御する。液晶表示器８９は、その表示画面が操作部８における表示領域８２に対向するように配置されている。荷重検出部１０により検出される荷重に基づいて算出される測定対象物Ｗの質量は、測定結果として表示制御部１２１により液晶表示器８９の表示画面に表示され、これにより、ユーザが測定対象物Ｗの質量を確認することができる。
【００４５】
接続検出部１２２は、コネクタ１１に除電器９が接続されているか否かを検出する。表示制御部１２１は、接続検出部１２２による検出結果に基づいて、光源８６の動作を制御する。具体的には、コネクタ１１に除電器９が接続されているときには、光源８６が発光されることにより、図３Ａのように操作キー領域８１１（第２領域８１３）が視認可能となる。一方、コネクタ１１に除電器９が接続されていないときには、光源８６が発光されず、図３Ｂのように操作キー領域８１１（第２領域８１３）が視認できない状態となる。
【００４６】
駆動制御部１２３は、接続検出部１２２による検出結果、及び、操作部８からの入力信号に基づいて、除電器９の駆動を制御する。具体的には、コネクタ１１に除電器９が接続されているとき、すなわち図３Ａのように光源８６が発光しているときに、操作キー領域８１１の操作に基づいてスイッチ８５が押し下げられた場合には、除電器９をオン状態又はオフ状態に切り替える。一方、コネクタ１１に除電器９が接続されていないとき、すなわち図３Ｂのように光源８６が発光していないときは、操作キー領域８１１の操作に基づいてスイッチ８５が押し下げられた場合であっても、除電器９の動作は切り替わらない。
【００４７】
４．作用効果
（１）本実施形態では、操作シート８３における操作キー領域８１１の全体が、操作キー領域８１１以外の地色領域８８と同色で塗装されているため、オプション用の光源８６が発光していないときには、図３Ｂのようにユーザが操作キー領域８１１を視認することができない。したがって、オプション装置としての除電器９が接続されていないときには、光源８６を発光させないことにより、操作キー領域８１１が存在していないとユーザに認識させることができる。
【００４８】
一方、オプション装置としての除電器９が接続されているときには、光源８６を発光させることにより、操作キー領域８１１の第２領域８１３をユーザに視認させることができる。これにより、操作キー領域８１１が存在していることをユーザに認識させることができる。
【００４９】
このように、除電器９が接続されていないときには、操作キー領域８１１が存在していないとユーザに認識させ、除電器９が接続されているときには、操作キー領域８１１が存在していることをユーザに認識させることができるため、除電器９が取り付けられているか否かに応じてユーザの操作に支障が生じるのを防止することができる。
【００５０】
（２）特に、本実施形態では、操作キー領域８１１の第１領域８１２及び第２領域８１３に互いに異なる濃度で同色の塗装が施されることにより、第１領域８１２と第２領域８１３とで透光率を異ならせることができる。第１領域８１２及び第２領域８１３の塗装の濃度が一定の濃度以上であれば、光源８６が発光していないときに、ユーザは第１領域８１２と第２領域８１３を区別して認識することができない。一方、光源８６を発光させた場合には、第１領域８１２及び第２領域８１３の塗装の濃度の差が顕著に表れるため、ユーザは第１領域８１２と第２領域８１３を区別して認識することができる。
【００５１】
（３）また、本実施形態では、光源８６を発光させた場合に、光源８６からの光を拡散部材８７より拡散させ、操作キー領域８１１の全体に照射することができる。これにより、光源８６を発光させているときに、操作キー領域８１１の第２領域８１３のみを良好にユーザに視認させることができる。
【００５２】
（４）さらに、本実施形態では、除電器９が電子天秤１に接続されているときには、光源８６を発光させることにより視認可能となった操作キー領域８１１をユーザが操作することにより、除電器９を動作させることができる。一方、除電器９が電子天秤１に接続されていないときには、仮にユーザが操作キー領域８１１を操作したとしても除電器９は動作しないため、誤動作を防止することができる。
【００５３】
５．変形例
以上の実施形態では、オプション装置が除電器９である場合について説明した。しかし、電子天秤１に接続されるオプション装置は、除電器９に限らず、例えば秤量室６を加熱するためのヒータ、又は、秤量室６を自動で開閉するための自動開閉機構など、電子天秤１に取付可能な他のオプション装置であってもよい。
【００５４】
また、オプション用の操作キー領域８１１は、オプション装置の動作をオン状態又はオフ状態に切り替えるためのものに限らず、例えばオプション装置の動作に関する設定などを行うためのものであってもよい。この場合、オプション用の操作キー領域８１１は、１つに限らず、複数設けられていてもよい。
【符号の説明】
【００５５】
１      電子天秤
２      秤量皿
６      秤量室
７      本体
８      操作部
９      除電器
１１    コネクタ
１２    制御部
８１    操作キー領域
８２    表示領域
８３    操作シート
８４    基板
８５    スイッチ
８６    光源
８７    拡散部材
８８    地色領域
１２１  表示制御部
１２２  接続検出部
１２３  駆動制御部
８１１  操作キー領域
８１２  第１領域
８１３  第２領域
８３１  塗装面
【図１】
0003207398.tif 000003
【図２】
0003207398.tif 000004
【図３Ａ】
0003207398.tif 000005
【図３Ｂ】
0003207398.tif 000006
【図４】
0003207398.tif 000007
【図５】
0003207398.tif 000008
【図６】
0003207398.tif 000009